(57)【要約】【課題】回転数算出部が出力した回転数情報とステアリングシャフトの実際の回転数との間にずれが生じていることを検出することのできる電動パワーステアリング装置を提供する。【解決手段】電動パワーステアリング装置は、回転数情報の出力を要求する情報要求信号を回転数算出部３２に出力し、回転数情報と角度情報とに基づいて絶対舵角を算出する絶対舵角算出部４２を有する。また、電動パワーステアリング装置は、ステアリングシャフトの回転角度の変化、および、ステアリングシャフトに付与されたトルクの変化の少なくとも一方に基づき、絶対舵角算出部４２が情報要求信号を出力してから絶対舵角算出部４２に回転数情報が入力されるまでの期間である受信期間にステアリングシャフトが回転したか否かを判定する判定部４３を有する。【選択図】図２
2015214277.tif 000002
【特許請求の範囲】
【請求項１】
ステアリングシャフトの回転角度に関する情報である回転角度情報を検出する角度情報検出部と、
前記ステアリングシャフトに付与されるトルクを検出するトルク検出部と、
前記角度情報検出部が出力した前記回転角度情報に基づいて前記ステアリングシャフトの回転数に関する情報である回転数情報を算出し、少なくとも前記回転数情報の出力を要求する情報要求信号が入力されたことに基づいて前記回転数情報を出力する回転数算出部と、
前記角度情報検出部が出力した前記回転角度情報に基づいて前記ステアリングシャフトの回転角度に関する情報である角度情報を算出する角度算出部と、
前記情報要求信号を前記回転数算出部に出力し、前記回転数算出部が出力した前記回転数情報と前記角度算出部が出力した前記角度情報とに基づいて前記ステアリングシャフトの絶対舵角を算出する絶対舵角算出部と、
前記角度算出部が算出した前記ステアリングシャフトの回転角度の変化、および、前記トルク検出部が検出した前記ステアリングシャフトに付与されたトルクの変化の少なくとも一方に基づき、前記絶対舵角算出部が前記情報要求信号を出力してから前記絶対舵角算出部に前記回転数情報が入力されるまでの期間である受信期間に前記ステアリングシャフトが回転したか否かを判定する判定部とを有する
電動パワーステアリング装置。
【請求項２】
前記判定部は、前記受信期間に前記ステアリングシャフトが回転したと判定したとき、前記ステアリングシャフトが回転したことを示す情報であるシャフト回転信号を前記絶対舵角算出部に出力し、
前記絶対舵角算出部は、前記シャフト回転信号が入力されたことに基づいて前記情報要求信号を前記回転数算出部に出力する
請求項１に記載の電動パワーステアリング装置。
【請求項３】
前記回転数算出部は、前記電動パワーステアリング装置が搭載される車両のイグニッションスイッチがオフに設定されている期間、および、前記イグニッションスイッチがオンからオフに切り替わったときから前記回転数情報を出力するまでの期間の前記ステアリングシャフトの回転数を算出し、
前記角度算出部は、前記イグニッションスイッチがオンに設定されている期間の前記ステアリングシャフトの回転角度を算出し、
前記絶対舵角算出部は、前記イグニッションスイッチがオフからオンに切り替わったことに基づいて前記情報要求信号を前記回転数算出部に出力し、前記シャフト回転信号が入力されたことに基づいて前記情報要求信号を前記回転数算出部に出力する
請求項２に記載の電動パワーステアリング装置。
【請求項４】
前記判定部は、前記受信期間に前記角度算出部が出力した前記角度情報に基づく回転角度の変化量が閾値以上であることに基づいて前記ステアリングシャフトが回転したことを判定する
請求項１〜３のいずれか一項に記載の電動パワーステアリング装置。
【請求項５】
前記判定部は、前記受信期間に前記トルク検出部が出力したトルクの情報に基づくトルクの変化量が閾値以上であることに基づいて前記ステアリングシャフトが回転したことを判定する
請求項１〜３のいずれか一項に記載の電動パワーステアリング装置。
【発明の詳細な説明】
【技術分野】
【０００１】
本発明は、ステアリングシャフトの絶対舵角を算出する絶対舵角算出部を有する電動パワーステアリング装置に関する。
【背景技術】
【０００２】
特許文献１の電動パワーステアリング装置は、ステアリングシャフトの操舵を補助する電動モータ、および、電動パワーステアリングが搭載されている車両のイグニッションスイッチがオフからオンに切り替わったことに基づいてステアリングシャフトの絶対舵角を算出する絶対舵角算出部を有する。また、この電動パワーステアリング装置は、イグニッションスイッチがオフに設定されている期間、および、イグニッションスイッチがオンからオフに切り替わったときから絶対舵角算出部にステアリングシャフトの回転数情報を出力するまでの期間のステアリングシャフトの回転数を算出する回転数算出部を有する。さらに、この電動パワーステアリング装置は、イグニッションスイッチがオンに設定されている期間のステアリングシャフトの機械角３６０°の範囲内での相対角である角度情報を算出する角度算出部を有する。
【０００３】
この電動パワーステアリング装置は、例えば、イグニッションスイッチがオフからオンに切り替わったことに基づいて角度算出部が絶対舵角算出部に角度情報を出力する。一方、絶対舵角算出部は、イグニッションスイッチがオフからオンに切り替わったことに基づいて回転数情報の出力を要求する情報要求信号を回転数算出部に出力する。回転数算出部は、情報要求信号が入力されたことに基づいて回転数情報を絶対舵角算出部に出力する。絶対舵角算出部は、回転数情報、および、角度情報に基づいてステアリングシャフトの絶対舵角を算出する。
【先行技術文献】
【特許文献】
【０００４】
【特許文献１】特開２０１２−１０３０８９号公報
【発明の概要】
【発明が解決しようとする課題】
【０００５】
回転数算出部は、情報要求信号の入力に基づいて回転数情報を出力する。ここで、絶対舵角算出部が情報要求信号を出力してから回転数情報を受信するまでの間に、例えば、運転者の腕がステアリングホイールに接触し、ステアリングシャフトが回転することがある。この場合、絶対舵角算出部が受信した回転数情報がステアリングシャフトの実際の回転数を反映していないおそれがある。その場合には、絶対舵角算出部により算出される絶対舵角が実際の舵角から大きくずれるおそれがある。このため、算出されたステアリングシャフトの絶対舵角を用いて実行される電動パワーステアリング装置の各種制御に不具合が生じるおそれがある。
【０００６】
本発明の目的は、回転数算出部が出力した回転数情報とステアリングシャフトの実際の回転数との間にずれが生じていることを検出することのできる電動パワーステアリング装置を提供することにある。
【課題を解決するための手段】
【０００７】
上記目的を達成し得る電動パワーステアリング装置は、ステアリングシャフトの回転角度に関する情報である回転角度情報を検出する角度情報検出部と、前記ステアリングシャフトに付与されるトルクを検出するトルク検出部と、前記角度情報検出部が出力した前記回転角度情報に基づいて前記ステアリングシャフトの回転数に関する情報である回転数情報を算出し、少なくとも前記回転数情報の出力を要求する情報要求信号が入力されたことに基づいて前記回転数情報を出力する回転数算出部と、前記角度情報検出部が出力した前記回転角度情報に基づいて前記ステアリングシャフトの回転角度に関する情報である角度情報を算出する角度算出部と、前記情報要求信号を前記回転数算出部に出力し、前記回転数算出部が出力した前記回転数情報と前記角度算出部が出力した前記角度情報とに基づいて前記ステアリングシャフトの絶対舵角を算出する絶対舵角算出部と、前記角度算出部が算出した前記ステアリングシャフトの回転角度の変化、および、前記トルク検出部が検出した前記ステアリングシャフトに付与されたトルクの変化の少なくとも一方に基づき、前記絶対舵角算出部が前記情報要求信号を出力してから前記絶対舵角算出部に前記回転数情報が入力されるまでの期間である受信期間に前記ステアリングシャフトが回転したか否かを判定する判定部とを有する。
【０００８】
ステアリングシャフトが回転したとき、ステアリングシャフトの回転角度、または、トルクが変化する。このため、受信期間におけるステアリングシャフトの回転角度またはトルクを監視することにより、受信期間においてステアリングシャフトが回転したか否かを判定することができる。
【０００９】
本電動パワーステアリング装置の判定部は、このような考え方に基づいて、受信期間におけるステアリングシャフトの回転角度、および、トルクの少なくとも一方に基づいてステアリングシャフトが回転したか否かを判定する。このため、受信期間において、ステアリングシャフトが回転したことを適切に検出することができる。これにより、回転数算出部が出力した回転数情報とステアリングシャフトの実際の回転数との間にずれが生じていることを検出するができる。
【００１０】
上記電動パワーステアリング装置において、前記判定部は、前記受信期間に前記ステアリングシャフトが回転したと判定したとき、前記ステアリングシャフトが回転したことを示す情報であるシャフト回転信号を前記絶対舵角算出部に出力し、前記絶対舵角算出部は、前記シャフト回転信号が入力されたことに基づいて前記情報要求信号を前記回転数算出部に出力することが好ましい。
【００１１】
本電動パワーステアリング装置によれば、絶対舵角算出部は、シャフト回転信号が入力されたことに基づいて回転数算出部に情報要求信号を出力するため、ステアリングシャフトの実際の回転数とよりずれの少ない回転数情報を取得することができる。このため、絶対舵角算出部によるステアリングシャフトの絶対舵角の算出精度が高められる。
【００１２】
上記電動パワーステアリング装置において、前記回転数算出部は、前記電動パワーステアリング装置が搭載される車両のイグニッションスイッチがオフに設定されている期間、および、前記イグニッションスイッチがオンからオフに切り替わったときから前記回転数情報を出力するまでの期間の前記ステアリングシャフトの回転数を算出し、前記角度算出部は、前記イグニッションスイッチがオンに設定されている期間の前記ステアリングシャフトの回転角度を算出し、前記絶対舵角算出部は、前記イグニッションスイッチがオフからオンに切り替わったことに基づいて前記情報要求信号を前記回転数算出部に出力し、前記シャフト回転信号が入力されたことに基づいて前記情報要求信号を前記回転数算出部に出力することが好ましい。
【００１３】
電動パワーステアリング装置は、一例として、ステアリングシャフトの回転角度等に基づいて、ステアリングシャフトまたはラックシャフト等のステアリング機構に付与するアシストトルクの目標値を算出する。また、ステアリングシャフトと連結されたステアリングホイールは、車両が走行しているときにおいて運転者により操作される場合だけではなく、車両が停車しているとき、すなわち、イグニッションスイッチがオフに設定されている期間において運転者の身体が触れること等の理由により回転することがある。
【００１４】
一方、イグニッションスイッチがオフに設定されている期間は、消費電力が増加することを抑制するために角度算出部がステアリングシャフトの角度情報を算出していない。このため、イグニッションスイッチがオフに設定されている期間にステアリングシャフトが回転した場合には、車両が走行し始めたときに絶対舵角算出部がステアリングシャフトの絶対舵角を正確に算出できないおそれがある。
【００１５】
本電動パワーステアリング装置では、イグニッションスイッチがオフに設定されている期間、および、受信期間において、回転数算出部がステアリングシャフトの回転数を監視する。このため、イグニッションスイッチがオフに設定されている期間、および、受信期間にステアリングシャフトが回転したとしても、その回転数情報が回転数算出部により算出される。また、イグニッションスイッチがオンに設定されている期間において、角度算出部がステアリングシャフトの回転角度を監視する。このため、イグニッションスイッチがオンからオフに切り替わった直後において、絶対舵角算出部は、角度算出部により算出される角度情報と回転数算出部により算出される回転数情報とを用いることにより、ステアリングシャフトの絶対舵角を精度よく算出することができる。これにより、イグニッションスイッチがオフからオンに切り替わった直後から良好なステアリング特性を実現することができる。
【００１６】
上記電動パワーステアリング装置において、前記判定部は、前記受信期間に前記角度算出部が出力した前記角度情報に基づく回転角度の変化量が閾値以上であることに基づいて前記ステアリングシャフトが回転したことを判定することが好ましい。
【００１７】
本電動パワーステアリング装置によれば、判定部は、角度算出部が算出したステアリングシャフトの角度情報に基づいて受信期間においてステアリングシャフトが回転したことを判定することができる。このため、例えば、角度算出部とは別にステアリングシャフトの回転角度を検出するセンサを有する構成と比較して、部品点数が少なくなる。
【００１８】
上記電動パワーステアリング装置において、前記判定部は、前記受信期間に前記トルク検出部が出力したトルクの情報に基づくトルクの変化量が閾値以上であることに基づいて前記ステアリングシャフトが回転したことを判定することが好ましい。
【発明の効果】
【００１９】
本電動パワーステアリング装置によれば、回転数算出部が出力した回転数情報とステアリングシャフトの実際の回転数との間にずれが生じていることを検出することができる。
【図面の簡単な説明】
【００２０】
【図１】実施形態の電動パワーステアリング装置の全体構成を示す模式図。
【図２】実施形態の電動パワーステアリング装置の制御構成を示すブロック図。
【図３】実施形態の絶対舵角算出処理の処理手順の一例を示すフローチャート。
【発明を実施するための形態】
【００２１】
図１を参照して、電動パワーステアリング装置の構成について説明する。
電動パワーステアリング装置は、運転者のステアリング操作に基づいて転舵輪２を転舵させる操舵装置１０、運転者のステアリング操作を補助するアシスト装置２０、および、アシスト装置２０の作動を制御する制御部４０を備えている。
【００２２】
操舵装置１０は、運転者により操作されるステアリングホイール１と一体的に回転するステアリングシャフト１１を備えている。ステアリングシャフト１１は、ステアリングホイール１の中心に連結されたコラムシャフト１１ａ、コラムシャフト１１ａの下端部に連結されたインターミディエイトシャフト１１ｂ、および、インターミディエイトシャフト１１ｂの下端部に連結されたピニオンシャフト１１ｃを有する。
【００２３】
ピニオンシャフト１１ｃの下端部は、ピニオンシャフト１１ｃに交わる方向へ延びるラックシャフト１２のラック歯が形成された部分１２ａに噛合されている。したがって、ステアリングシャフト１１の回転運動は、ピニオンシャフト１１ｃおよびラックシャフト１２からなるラックアンドピニオン機構によりラックシャフト１２の往復直線運動に変換される。当該往復直線運動が、ラックシャフト１２の両端にそれぞれ連結されたタイロッド１３を介して左右の転舵輪２にそれぞれ伝達されることにより、これら転舵輪２の転舵角が変更されることとなる。
【００２４】
アシスト装置２０は、操舵補助力の発生源であるモータ２２を備えている。モータ２２は、一例として、ブラシレスモータが用いられている。モータ２２は、減速機構２１を介してコラムシャフト１１ａに連結されている。減速機構２１はモータ２２の回転を減速し、当該減速した回転力をコラムシャフト１１ａに伝達する。すなわち、ステアリングシャフト１１にモータのトルクが操舵補助力（アシスト力）として付与されることにより、運転者のステアリング操作が補助される。
【００２５】
モータ２２のハウジング（図示略）のうちモータ２２の出力軸２２Ａの近傍には、出力軸２２Ａの回転角度に関する情報を検出する回転角センサ３１、および、回転角センサ３１から情報が入力される回転数算出部３２が取り付けられている。
【００２６】
制御部４０は、車両に設けられる各種のセンサの検出結果を運転者の要求あるいは走行状態を示す情報として取得し、これらの取得される各種の情報に応じてモータ２２を制御する。なお、制御部４０は、電動パワーステアリング装置が搭載されている車両のイグニッションスイッチ４がオンに設定されている期間にバッテリ（図示略）から電力が供給されることにより駆動する。
【００２７】
各種のセンサとしては、上述した回転角センサ３１の他、例えば、車速センサ３、および、トルクセンサ１４がある。車速センサ３は、転舵輪２の近傍に配置され、転舵輪２の回転速度に基づき、車両の走行速度（車速）を検出する。トルクセンサ１４はコラムシャフト１１ａに取り付けられており、ステアリングシャフト１１の操舵トルクを検出する。
【００２８】
図２を参照して、電動パワーステアリング装置の制御構成について説明する。
回転角センサ３１は、モータ２２の出力軸２２Ａの回転角度に基づいてステアリングシャフト１１の回転角度に関する情報である回転角度情報を検出する。回転角センサ３１は、一例として、レゾルバが用いられている。なお、回転角センサ３１は、イグニッションスイッチ４がオフに設定されている期間には、上述したバッテリから間欠的に電力が供給される。一方、回転角センサ３１は、イグニッションスイッチ４がオンに設定されている期間には、バッテリから常時電力が供給される。
【００２９】
また、回転数算出部３２は、回転角センサ３１が出力した回転角度情報に基づいてステアリングシャフト１１の回転数に関する情報である回転数情報を算出する。回転数算出部３２は、一例として、コンパレータが用いられている。なお、回転数算出部３２は、イグニッションスイッチ４がオフに設定されている期間、および、イグニッションスイッチ４がオンに設定されている期間にバッテリから間欠的に電力が供給される。
【００３０】
制御部４０は、イグニッションスイッチ４がオンからオフに切り替わったことに基づいて、ステアリングシャフト１１の絶対舵角を算出する絶対舵角算出処理を実行する。制御部４０は、角度算出部４１、絶対舵角算出部４２、判定部４３、および、目標アシストトルク算出部４４を含む。なお、制御部４０は、イグニッションスイッチ４がオフに設定されている期間には、バッテリから電力が供給されない。一方、制御部４０は、イグニッションスイッチ４がオンに設定されている期間には、バッテリから常時電力が供給される。
【００３１】
角度算出部４１は、回転角センサ３１が出力した回転角度情報に基づいてステアリングシャフト１１の機械角３６０°の範囲内での相対角である角度情報を算出する。角度算出部４１は、一例として、マイコンが用いられている。角度算出部４１は、イグニッションスイッチ４がオフからオンに切り替わったことに基づいて、算出した角度情報を絶対舵角算出部４２および判定部４３に出力する。
【００３２】
絶対舵角算出部４２は、イグニッションスイッチ４がオフからオンに切り替わったことに基づいて、ステアリングシャフト１１の回転数情報の出力を要求する情報要求信号を回転数算出部３２に出力する。絶対舵角算出部４２は、回転数算出部３２が出力した回転数情報、および、角度算出部４１が出力した角度情報に基づいて、ステアリングシャフト１１の絶対舵角を算出する。
【００３３】
判定部４３は、絶対舵角算出部４２が情報要求信号を出力してから絶対舵角算出部４２に回転数情報が入力されるまでの期間である受信期間に、角度算出部４１が算出したステアリングシャフト１１の角度情報に基づき、ステアリングシャフト１１が回転したか否かを判定する。判定部４３は、受信期間にステアリングシャフト１１が回転したことを判定したとき、ステアリングシャフト１１が回転したことを示す情報であるシャフト回転信号を絶対舵角算出部４２に出力する。一方、判定部４３は、受信期間にステアリングシャフト１１が回転していないことを判定したとき、ステアリングシャフト１１の絶対舵角の算出を開始することを要求する算出開始信号を絶対舵角算出部４２に出力する。
【００３４】
目標アシストトルク算出部４４は、一例として、絶対舵角、操舵トルク、および、車速に基づいて目標アシストトルクを算出し、この目標アシストトルクに対応する電流指令値をモータ２２の駆動回路（図示略）に出力する。
【００３５】
図３を参照して、絶対舵角算出処理の処理手順の一例について説明する。絶対舵角算出処理は、イグニッションスイッチ４（図１および図２参照）がオフからオンに切り替わったことに基づいて開始される。一方、絶対舵角算出処理は、ステアリングシャフト１１の絶対舵角の算出が完了したことに基づいて終了する。
【００３６】
ステップＳ２１において、制御部４０の絶対舵角算出部４２は、ステアリングシャフト１１の回転数情報の出力を要求する情報要求信号を回転数算出部３２に出力する。なお、絶対舵角算出処理の開始にともない、角度算出部４１は、ステアリングシャフト１１の角度情報を絶対舵角算出部４２および判定部４３に出力する。
【００３７】
ステップＳ２２において、制御部４０の判定部４３は、受信期間に角度算出部４１から角度情報が複数回入力されたか否かを判定する。判定部４３は、受信期間に角度算出部４１から角度情報が入力された回数が１回のみである旨判定したとき、算出開始信号を絶対舵角算出部４２に出力し、絶対舵角算出部４２は、ステップＳ２３を実行する。
【００３８】
ステップＳ２３において、絶対舵角算出部４２は、回転数算出部３２から入力された回転数情報、および、角度算出部４１から入力された角度情報に基づいて、ステアリングシャフト１１の絶対舵角を算出する。
【００３９】
一方、判定部４３は、ステップＳ２２において、受信期間に角度算出部４１から角度情報が入力された回数が複数回である旨判定したとき、ステップＳ２４を実行する。
ステップＳ２４において、判定部４３は、受信期間に入力された角度情報に基づき受信期間におけるステアリングシャフト１１の回転角度の変化量が閾値以上か否かを判定する。判定部４３は、受信期間におけるステアリングシャフト１１の回転角度の変化量が閾値未満である旨判定したとき、すなわち、受信期間においてステアリングシャフト１１が回転していない旨判定したとき、算出開始信号を絶対舵角算出部４２に出力し、絶対舵角算出部４２がステップＳ２３を実行する。なお、閾値は、角度情報に含まれるノイズ等の影響を考慮して、ステアリングシャフト１１が回転したとみなすことのできる値であり、試験等により予め設定されている。
【００４０】
ステップＳ２４において、判定部４３は、受信期間に入力された角度情報に基づき受信期間におけるステアリングシャフト１１の回転角度の変化量が閾値以上である旨判定したとき、すなわち、受信期間においてステアリングシャフト１１が回転した旨判定したとき、ステップＳ２５において、シャフト回転信号を絶対舵角算出部４２に出力する。
【００４１】
ステップＳ２６において、絶対舵角算出部４２は、シャフト回転信号が入力されたことに基づいて、情報要求信号を回転数算出部３２に出力する。回転数算出部３２は、情報要求信号が入力されたことに基づいて、ステアリングシャフト１１の回転数情報を再び算出し、算出した回転数情報を絶対舵角算出部４２に出力する。
【００４２】
図１および図３を参照して、電動パワーステアリング装置の作用および効果について説明する。
ステアリングホイール１が回転したとき、ステアリングシャフト１１の回転角度が変化する。このため、受信期間におけるステアリングシャフト１１の回転角度を監視することにより、受信期間においてステアリングシャフト１１が回転したか否かを判定することができる。
【００４３】
電動パワーステアリング装置の判定部４３は、このような考え方に基づいて、絶対舵角算出処理のステップＳ２２において、受信期間におけるステアリングシャフト１１の回転角度に基づいてステアリングシャフト１１が回転したか否かを判定する。このため、受信期間において、ステアリングシャフト１１が回転したことを適切に検出することができる。これにより、回転数算出部３２が出力した回転数情報とステアリングシャフト１１の実際の回転数とにずれが生じていることを検出するができる。
【００４４】
電動パワーステアリング装置は、さらに次の効果を奏する。
（１）絶対舵角算出部４２は、受信期間にシャフト回転信号が入力されたことに基づいて、絶対舵角算出処理のステップＳ２６において回転数算出部３２に情報要求信号を出力する。このため、絶対舵角算出部４２は、ステアリングシャフト１１の実際の回転数とよりずれの少ない回転数情報を取得することができる。このため、絶対舵角算出部４２によるステアリングシャフト１１の絶対舵角の算出精度が高められる。
【００４５】
（２）目標アシストトルク算出部４４は、一例として、ステアリングシャフト１１のトルク等に基づいてステアリングシャフト１１に付与するアシストトルクの目標値を算出する。また、ステアリングシャフト１１と連結されたステアリングホイール１は、車両が走行しているときにおいて運転者により操作される場合だけではなく、車両が停車しているとき、すなわち、イグニッションスイッチ４がオフに設定されている期間において運転者の身体が触れること等の理由により回転することがある。一方、イグニッションスイッチ４がオフに設定されている期間は、消費電力が増加することを抑制するために、制御部４０に電力が供給されない。このため、イグニッションスイッチ４がオフに設定されている期間は、角度算出部４１がステアリングシャフト１１の角度情報を算出していない。このため、イグニッションスイッチ４がオフに設定されている期間にステアリングシャフト１１が回転した場合には、車両が走行し始めたときに絶対舵角算出部４２がステアリングシャフト１１の絶対舵角を正確に算出できないおそれがある。
【００４６】
一方、実施形態の電動パワーステアリング装置は、この点を考慮して、イグニッションスイッチ４がオフに設定されている期間、および、受信期間において、回転数算出部３２がステアリングシャフト１１の回転数を監視する。このため、イグニッションスイッチ４がオフに設定されている期間、および、受信期間にステアリングシャフト１１が回転したとしても、その回転数情報が回転数算出部３２により算出される。また、イグニッションスイッチ４がオンに設定されている期間において、角度算出部４１は、ステアリングシャフト１１の回転角度を監視する。このため、イグニッションスイッチ４がオンからオフに切り替わった直後において、絶対舵角算出部４２は、角度算出部４１により算出される角度情報と回転数算出部３２により算出される回転数情報とを用いることにより、ステアリングシャフト１１の絶対舵角を精度よく算出することができる。これにより、イグニッションスイッチ４がオフからオンに切り替わった直後から良好なステアリング特性を実現することができる。
【００４７】
（３）判定部４３は、角度算出部４１が算出したステアリングシャフト１１の角度情報に基づいてステアリングシャフト１１が回転したことを判定するため、例えば、角度算出部４１とは別にステアリングシャフト１１の回転角度を検出するセンサを有する構成と比較して、部品点数が少なくなる。
【００４８】
なお、前記実施の形態は、次のように変更してもよい。また、以下の他の実施の形態は、技術的に矛盾しない範囲において互いに組み合わせることもできる。
・絶対舵角算出処理のステップＳ２２において、判定部４３は、受信期間におけるトルクセンサ１４から入力されたトルクの変化量が閾値以上であることに基づいてシャフト回転信号を絶対舵角算出部４２に出力することとしてもよい。なお、この場合の閾値は、トルクセンサが出力する信号に含まれるノイズ等の影響を考慮して、ステアリングシャフト１１が回転したとみなすことのできる値であり、試験等により予め設定されている。
【００４９】
・絶対舵角算出処理のステップＳ２４を省略することもできる。すなわち、判定部４３は、ステップＳ２２において、受信期間における角度算出部４１から角度情報が入力された回数が複数回である旨判定したとき、ステップＳ２５を実行する。絶対舵角算出部４２は、シャフト回転信号が入力されたことに基づいてステップＳ２６を実行する。
【００５０】
・絶対舵角算出処理のステップＳ２２を省略することもできる。
・回転角センサ３１は、ステアリングシャフト１１の回転角度情報を直接的に検出するものであってもよい。
【００５１】
・回転角センサ３１として、ステアリングシャフト１１の回転数のみを検出するものを用いてもよい。この場合、ステアリングシャフト１１の回転角度を検出するセンサが別途設けられる。
【００５２】
・電動パワーステアリング装置は、ラックシャフト１２にアシスト力を付与するラックアシスト型の電動パワーステアリング装置であってもよい。
【符号の説明】
【００５３】
４…イグニッションスイッチ、１１…ステアリングシャフト、１４…トルクセンサ（トルク検出部）、３１…回転角センサ（角度情報検出部）、３２…回転数算出部、４１…角度算出部、４２…絶対舵角算出部、４３…判定部。
【図１】
2015214277.tif 000003
【図２】
2015214277.tif 000004
【図３】
2015214277.tif 000005